(57)【要約】【課題】  建物検査において、各工事項目の進捗状況の管理をより効率的に行うことができる建物検査支援装置を提供する。【解決手段】  建物の進捗検査を支援する携帯可能な建物検査支援装置であって、建物の工事項目を記憶する工事項目マスタＤＢ４１と、工事項目マスタＤＢ４１に記憶されている工事項目の進捗情報を入力する入力部５と、入力された進捗情報をその工事項目と対応付けて記憶する進捗情報テーブル４５１と、を備え、ＣＰＵ２によって、工事項目マスタＤＢ４１に記憶されている工事項目の中から所望の工事項目を選択し、選択された工事項目についての進捗情報を進捗情報テーブル４５１から抽出し、抽出された進捗情報を対応付けられた工事項目とともに表示部７に表示させる。【選択図】図１
2005275881.tif 000002
【特許請求の範囲】
【請求項１】
建物の進捗検査を支援する携帯可能な建物検査支援装置であって、
建物の工事項目を記憶する工事項目記憶手段と、
前記工事項目の工事開始情報或いは工事完了情報を含む進捗情報を入力する入力手段と、
前記入力手段によって入力された進捗情報をその工事項目と対応付けて記憶している進捗情報記憶手段と、
前記工事項目記憶手段に記憶されている工事項目の中から所望の工事項目を選択する工事項目選択手段と、
前記工事項目選択手段によって選択された工事項目についての進捗情報を前記進捗情報記録手段から抽出する抽出手段と、
前記抽出手段によって抽出された進捗情報を対応付けられた工事項目とともに表示する進捗表示画面を表示手段に表示させる表示制御手段と、
を備えることを特徴とする建物検査支援装置。
【請求項２】
前記建物は、複数の居住部により構成され、
前記進捗情報記憶手段は、居住部ごとに各工事項目及びその進捗情報を記憶し、
前記表示制御手段は、
全居住部についての前記工事項目選択手段によって選択された工事項目及びその進捗情報が、前記進捗表示画面上で一覧できる表示態様で前記表示手段に表示させることを特徴とする請求項１記載の建物検査支援装置。
【請求項３】
工事項目に対して予定工事開始日及び予定工事終了日を含む工事予定情報が対応付けられて記憶されている工事予定情報記憶手段と、
前記入力手段によって工事項目の工事開始情報が入力された場合、前記工事予定情報記憶手段に記憶されている予定工事開始日と予定工事終了日との間の日数に基づいて、当該工事項目の工事完了予定情報を算出する工事完了予定情報算出手段と、
前記工事完了予定情報算出手段により算出された工事完了予定情報を表示する予定表示画面を前記表示手段に表示させる第２の表示制御手段と、
を備えることを特徴とする請求項１又は２に記載の建物検査支援装置。
【請求項４】
工事項目の工程順を記憶する工程順記憶手段と、
前記入力手段によって工事項目の工事完了情報が入力された場合、前記工程順記憶手段に記憶された工程順に基づいて、当該工事項目の前工程までを全て完了したとする工事完了情報を作成する工事完了情報作成手段と、
前記工事完了情報作成手段により作成された工事完了情報に基づいて、前記工事項目記憶手段に記憶された工事完了情報を書き換える書換手段と、
を備えることを特徴とする請求項１〜３の何れか一項に記載の建物検査支援装置。
【請求項５】
前記表示制御手段は、
前記入力手段によって工事項目の工事開始情報及び工事完了情報が入力された場合、この工事開始情報と工事完了情報とを異なる表示態様で前記進捗表示画面上に表示させることを特徴とする請求項１〜４の何れか一項に記載の建物検査支援装置。
【請求項６】
建物の工事項目を記憶する工事項目記憶手段と、
前記工事項目の工事開始情報或いは工事完了情報を含む進捗情報を入力する入力手段と、
前記入力手段によって入力された進捗情報をその工事項目と対応付けて記憶する進捗情報記憶手段と、
を備えるコンピュータを、
前記工事項目記憶手段に記憶されている工事項目の中から所望の工事項目を選択する工事項目選択手段、
前記工事項目選択手段によって選択された工事項目についての進捗情報を前記工事項目記憶手段から抽出する抽出手段、
前記抽出手段によって抽出された進捗情報を対応付けられた工事項目とともに表示する進捗表示画面を表示手段に表示させる表示制御手段、
として機能させるプログラム。
【発明の詳細な説明】
【技術分野】
【０００１】
本発明は、建物検査支援装置及びプログラムに関する。
【背景技術】
【０００２】
従来、マンション等の建物の検査において、例えば、進捗状況の検査をする場合には、検査者が進捗状況チェックシートを携帯し、各居住部を巡回して進捗状況を確認し、部屋名、各部位の進捗状況等をチェックシートに手書きで記入していた。
【０００３】
また、ＰＤＡ、パーソナルコンピュータ等の携帯可能な携帯端末装置において、タッチパネル形式によって進捗状況を入力する方法も知られている（例えば、特許文献１）。
具体的には、例えば、検査対象の工事項目の進捗状況を示す進捗率（例えば、７５パーセント、５０パーセント等）を検査者が判断し、その進捗率を入力することによって、工事項目の進捗状況を数値、棒グラフ等により把握できるようになっている。
【特許文献１】特開平０６−１８７３４９号広報
【発明の開示】
【発明が解決しようとする課題】
【０００４】
しかしながら、上記特許文献１記載の端末装置は、複数の所望の工事項目に関する進捗情報等といった検査者のニーズを反映した情報を得ることが困難であるため、進捗検査を効率的に行うことができないことがあるという問題点があった。
また、進捗率を入力する検査者に一定の知識、経験が必要とされるとともに、入力作業が煩雑であるという問題点もあった。
【０００５】
そこで、本発明の課題は、建物検査において、各工事項目の進捗状況の管理をより効率的に行うことができる建物検査支援装置及びプログラムを提供することである。
【課題を解決するための手段】
【０００６】
以上の課題を解決するための手段として、請求項１記載の発明は、建物の進捗検査を支援する携帯可能な建物検査支援装置であって、例えば、図１に示すように、
建物の工事項目を記憶する工事項目記憶手段（例えば、工事項目マスタＤＢ４１）と、
前記工事項目の工事開始情報或いは工事完了情報を含む進捗情報を入力する入力手段（例えば、入力部５）と、
前記入力手段によって入力された進捗情報をその工事項目と対応付けて記憶する進捗情報記憶手段（例えば、ＣＰＵ２、進捗情報テーブル４５１）と、
前記工事項目記憶手段に記憶されている工事項目の中から所望の工事項目を選択する工事項目選択手段（例えば、ＣＰＵ２、入力部５、選択プログラム４４１）と、
前記工事項目選択手段によって選択された工事項目についての進捗情報を前記進捗情報記憶手段から抽出する抽出手段（例えば、ＣＰＵ２、抽出プログラム４４２）と、
前記抽出手段によって抽出された進捗情報を対応付けられた工事項目とともに表示する進捗表示画面を表示手段（例えば、表示部７）に表示させる表示制御手段（例えば、ＣＰＵ２、第１の表示制御プログラム４４３）と、
を備えることを特徴とする。
【０００７】
請求項２記載の発明は、請求項１記載の建物検査支援装置であって、
前記建物は、複数の居住部により構成され、
前記進捗情報記憶手段は、居住部ごとに各工事項目及びその進捗情報を記憶し、
前記表示制御手段は、
全居住部についての前記工事項目選択手段によって選択された工事項目及びその進捗情報が、前記進捗表示画面上で一覧できる表示態様で前記表示手段に表示させることを特徴とする。
【０００８】
請求項３記載の発明は、請求項１又は２記載の建物検査支援装置であって、
工事項目に対して予定工事開始日及び予定工事終了日を含む工事予定情報が対応付けられて記憶されている工事予定情報記憶手段（例えば、工事予定情報マスタＤＢ４３）と、
前記入力手段によって工事項目の工事開始情報が入力された場合、前記工事予定情報記憶手段に記憶されている予定工事開始日と予定工事終了日との間の日数に基づいて、当該工事項目の工事完了予定情報を算出する工事完了予定情報算出手段（例えば、ＣＰＵ２、工事完了予定情報算出プログラム４４４）と、
前記工事完了予定情報算出手段により算出された工事完了予定情報を表示する予定表示画面を前記表示手段に表示させる第２の表示制御手段（例えば、ＣＰＵ２、第２の表示制御プログラム４４５）と、
を備えることを特徴とする。
【０００９】
請求項４記載の発明は、請求項１〜３の何れか一項に記載の建物検査支援装置であって、
工事項目の工程順を記憶する工程順記憶手段（例えば、工事項目マスタＤＢ４１）と、
前記入力手段によって工事項目の工事完了情報が入力された場合、前記工程順記憶手段に記憶された工程順に基づいて、当該工事項目の前工程までを全て完了したとする工事完了情報を作成する工事完了情報作成手段（例えば、ＣＰＵ２、工事完了情報作成プログラム４４６）と、
前記工事完了情報作成手段により作成された工事完了情報に基づいて、前記工事項目記憶手段に記憶された工事完了情報を書き換える書換手段（例えば、ＣＰＵ２、書換プログラム４４７）と、
を備えることを特徴とする。
【００１０】
請求項５記載の発明は、請求項１〜４の何れか一項に記載の建物検査支援装置であって、
前記表示制御手段は、
前記入力手段によって工事項目の工事開始情報及び工事完了情報が入力された場合、この工事開始情報と工事完了情報とを異なる表示態様で前記進捗表示画面上に表示させることを特徴とする。
【００１１】
請求項６記載の発明は、プログラムであって、
建物の工事項目を記憶する工事項目記憶手段と、
前記工事項目の工事開始情報或いは工事完了情報を含む進捗情報を入力する入力手段と、
前記入力手段によって入力された進捗情報をその工事項目と対応付けて記憶する進捗情報記憶手段と、
を備えるコンピュータを、
前記工事項目記憶手段に記憶されている工事項目の中から所望の工事項目を選択する工事項目選択手段、
前記工事項目選択手段によって選択された工事項目についての進捗情報を前記工事項目記憶手段から抽出する抽出手段、
前記抽出手段によって抽出された進捗情報を対応付けられた工事項目とともに表示する進捗表示画面を表示手段に表示させる表示制御手段、
として機能させることを特徴とする。
【発明の効果】
【００１２】
請求項１、６記載の発明によれば、検査者によって選択された工事項目及びその進捗情報が抽出され、進捗表示画面に表示される。従って、複数の所望の工事項目についての進捗情報を表示させることができるので、検査者のニーズを反映した情報を得ることができることとなり、工事項目の数が多い場合でも、予め選択した工事項目の進捗情報を進捗画面に表示させることにより進捗状況の把握が容易となることとなって、進捗情報の管理をより効率的に行うことができる。
【００１３】
請求項２記載の発明によれば、請求項１記載の発明と同様の効果が得られるのは無論のこと、特に、全居住部についての選択された工事項目及びその進捗情報を進捗表示画面上で一覧できるので、検査対象の建物全体の進捗情報を視覚的に容易に把握することができる。
【００１４】
請求項３記載の発明によれば、請求項１又は２記載の発明と同様の効果が得られるのは無論のこと、特に、工事項目の工事開始情報が入力された場合、当該工事項目の工事完了予定情報が算出され、算出された工事完了予定情報が表示される。従って、現場の進捗検査を行う時期の目安となる情報を得ることができることとなって、各工事項目の進捗情報の管理をより一層効率的に行うことができる。
【００１５】
請求項４記載の発明によれば、請求項１〜３の何れか一項に記載の発明と同様の効果が得られるのは無論のこと、特に、工事項目の工事完了情報が入力された場合、当該工事項目の前工程までを全て完了したとする工事完了情報が作成され、作成された工事完了情報に基づいて、工事完了情報が書き換えられる。従って、記憶されている工事項目全てについて進捗情報を各々入力する必要がなくなることとなって、進捗情報の管理をより容易に行うことができる。
【００１６】
請求項５記載の発明によれば、請求項１〜４の何れか一項に記載の発明と同様の効果が得られるのは無論のこと、特に、工事項目の工事開始情報及び工事完了情報が入力された場合、この工事開始情報及び工事完了情報とが異なる表示態様で進捗表示画面上に表示されるので、工事開始情報と工事完了情報とを確実に区別することができる。
【発明を実施するための最良の形態】
【００１７】
以下、図面を参照して本発明にかかる建物検査支援装置について詳細に説明する。本実施の形態における建物検査支援装置１は、例えば、マンション等の建物の検査業務を支援するものであり、タブレットＰＣやＰＤＡ等の検査者が携帯可能な携帯端末等により構成される。
図１に示すように、建物検査支援装置１は、ＣＰＵ２(Central  Processing  Unit)、ＲＡＭ３(Random  Access  Memory)、記憶部４、入力部５、音声入力部６、表示部７、計時部８、外部機器と接続するためのインターフェイス（Ｉ／Ｆ）９などを備え、これらはバスＢを介して接続されている。
【００１８】
記憶部４は、プログラムやデータなどがあらかじめ記憶された記録媒体４ａを有している。記録媒体４ａは、例えば、磁気的記録媒体、光学的記録媒体、半導体メモリなどで構成されている。記録媒体４ａは、記憶部４に対して、固定的に、或いは着脱自在に設けられている。
【００１９】
記録媒体４ａには、工事項目マスタデータベース（工事項目マスタＤＢ）４１、住戸マスタデータベース（住戸マスタＤＢ）４２、工事予定情報マスタデータベース（工事予定情報ＤＢ）４３などが記憶されている。
また、記録媒体４ａには、建物検査支援処理に使用される各種アプリケーションプログラムなどが記憶されるプログラム格納領域４４、各種アプリケーションプログラムの実行結果などが記憶される結果データ格納領域４５などが設けられている。
【００２０】
なお、記録媒体４ａに記憶されるプログラム、データなどは、その一部または全部が、他の外部装置などから、インターフェイスなどを介して取得して、記録媒体４ａに記録されるものとしても良い。
【００２１】
工事項目マスタＤＢ４１には、工事項目が工程順に記憶されており、例えば、図２に示すように、サッシ、モルタル詰め、額縁、ウレタン吹付、ユニットバス、設備配管、木工事、電気配線、壁ボード、壁ＧＬ、際根太、置床、床暖房、床ベニヤ、スプリンクラー、電機調整、天井ボード、土間補修、ＳＤ枠塗装、クロス張り、フローリング、家具、巾木、ＣＦ、洗面台、木製建具、キッチン、壁タイル、目地、コーキング、手摺、カーテンレール、キャップ類、照明器具の計３４項目が記憶されている。
なお、工事項目マスタＤＢ４１に記憶される工事項目は、上記３４項目に限定されるものではなく、追加、変更等適宜設定可能なものとする。
【００２２】
また、上記工事項目は、工程順に１〜３４までの連続番号が付されている。即ち、図２に示すように、第１工程−サッシ、第２工程−モルタル詰め、・・・第３４工程−照明器具と記憶されている。
このように、工事項目マスタＤＢ４１は、工事項目記憶手段、工程順記憶手段として機能する。
【００２３】
住戸マスタＤＢ４２には、例えば、図４に示すように、各マンションと各階の居住部数とが対応付けられて記憶されている。具体的には、例えば、○○マンションの４階の居住部数は「１０」と記憶されている。
【００２４】
工事予定情報マスタＤＢ４３には、例えば、図４に示すように、工事項目マスタＤＢ４１に記憶されている工事項目に対して予定工事開始日及び予定工事終了日が記憶されている。具体的には、例えば、「クロス張り」の予定工事開始日は、「２００４年２月１１日」、予定工事終了日は、「２００４年２月１２日」と記憶されている。
【００２５】
プログラム格納領域４４には、ＣＰＵ２での各種動作を行うためのシステムプログラム、アプリケーションプログラムが記憶されている。具体的には、選択プログラム４４１、抽出プログラム４４２、第１の表示制御プログラム４４３、工事完了予定情報算出プログラム４４４、第２の表示制御プログラム４４５、工事完了情報作成プログラム４４６、書換プログラム４４７が記憶されている。
【００２６】
結果データ格納領域４５には、入力された工事項目についての進捗情報が記憶される進捗情報テーブル４５１と、工事項目マスタＤＢ４１からユーザによって選択された工事項目が記憶される選択工事項目テーブル４５２などが格納されている。これらのテーブルについての詳細な説明は後述する。なお、進捗情報テーブル４５１における進捗情報の記憶処理は、ＣＰＵ２により制御される。
【００２７】
ＣＰＵ２は、記憶部４に格納されている各種アプリケーションプログラムやシステムプログラムなどをＲＡＭ３に格納して、各種指示信号や入力データなどに応じて、ＲＡＭ３内に格納したアプリケーションプログラムに従って、各種処理を実行する。また、ＣＰＵ２は、処理結果を一時的にＲＡＭ３に格納するとともに、表示部７に表示する制御を行う。また、ＣＰＵ２は、処理結果情報を記憶部４の結果データ格納領域４５に記憶させる制御も行う。
【００２８】
具体的には、ＣＰＵ２は、選択プログラム４４１を実行することにより、工事項目マスタＤＢ４１に記憶されている工事項目の中から選択された工事項目を選択工事項目テーブル４５２に記憶させる制御を行う工事項目選択手段として機能する。
また、ＣＰＵ２は、抽出プログラム４４２を実行することにより、選択された工事項目についての進捗情報を進捗情報テーブル４５１から抽出する抽出手段として機能する。
【００２９】
また、ＣＰＵ２は、第１の表示制御プログラム４４３を実行することにより、抽出された進捗情報を対応付けられた工事項目とともに表示する進捗表示画面を表示させる表示制御手段として機能する。加えて、第１の表示制御プログラム４４３を実行することにより、全居住部についての選択された工事項目及びその進捗情報が、進捗表示画面上で一覧できる表示態様で表示部７に表示させる。さらに、第１の表示制御プログラム４４３を実行することにより、工事項目の工事開始情報及び工事完了情報が入力された場合、この工事開始情報と工事完了情報とを異なる表示態様で進捗表示画面に表示させる。
【００３０】
また、ＣＰＵ２は、工事完了予定情報算出プログラム４４４を実行することにより、工事項目の工事開始情報が入力された場合、工事予定情報マスタＤＢ４３に記憶されている予定工事開始日と予定工事終了日との間の日数に基づいて、当該工事項目の工事完了予定情報を算出する工事完了予定情報算出手段として機能する。
また、ＣＰＵ２は、第２の表示制御プログラム４４５を実行することにより、算出された工事完了予定情報を表示する予定表示画面を前記表示手段に表示させる第２の表示制御手段として機能する。
【００３１】
また、ＣＰＵ２は、工事完了情報作成プログラム４４６を実行することにより、工事項目の工事完了情報が入力された場合、工事項目マスタＤＢ４１に記憶された工程順に基づいて、当該工事項目の前工程までを全て完了したとする工事完了情報を作成する工事完了情報作成手段として機能する。
また、ＣＰＵ２は、書換プログラム４４７を実行することにより、作成された工事完了情報に基づいて、進捗情報テーブル４５１に記憶された工事完了情報を書き換える書換手段として機能する。
【００３２】
ＲＡＭ３は、記憶部４に格納されたプログラムをＣＰＵ２が実行する際に、各種プログラムやデータを格納する格納領域を形成する。また、ＣＰＵ２による処理を実行するための作業領域や、ＣＰＵ２の処理に係わるデータが一時的に記憶される記憶領域などを形成する。
【００３３】
入力部５は、入力手段、工事項目選択手段として機能し、例えば、キー群５ａ、タッチペン５ｂおよびタブレット５ｃを含んで構成される。
【００３４】
キー群５ａは、カーソルキー、数字キー、機能キーなどの各種キーを備え、ユーザにより操作されたキーに対応する操作信号をＣＰＵ２に出力する。
【００３５】
タブレット５ｃは、表示部７と一体に構成され、抵抗膜式、光学式、静電容量式などの各種座標読み取り原理により、ユーザがタッチペン５ｂで表示部７をタッチした座標位置を検出し、その座標位置に応じた入力信号をＣＰＵ２に出力する。
【００３６】
具体的には、表示部７に表示されたメニューバー、アイコンなどをタッチペン５ｂでタッチすることにより、タッチされたメニュー項目またはアイコンに応じた操作を行うことができる。
【００３７】
音声入力部６は、図示しないマイク、音声認識部などによって構成され、マイクから入力されるユーザの音声信号を音声認識部にて音声認識してテキストデータに変換し、変換したテキストデータを音声入力情報としてＣＰＵ２に出力する。
【００３８】
表示部７は、表示手段として機能し、例えば、ＬＣＤ（Liquid  Crystal  Display）などにより構成されている。ＣＰＵ２の表示制御に従い、各種データを入力する入力画面などを表示画面上に表示できる。
【００３９】
計時部８は、時刻や日付を計時し、計時された時間データなどは、ＣＰＵ２を介してＲＡＭ３に送られて順次更新セットされる。例えば、所定周波数のクロック信号を発振する発振回路（図示省略）と、該発振回路からの信号を分周して所定周波数の信号を得る分周回路（図示省略）と、一秒単位の計時データに変換するための時刻用カウンタ（図示省略）などを備える。
そして、ＣＰＵ２により、工事項目の工事開始日、工事完了日などの入力がなされると、その入力日時が記憶部４の結果データ格納領域４５に記憶されるようになっている。
【００４０】
Ｉ／Ｆ９は、この建物検査支援装置１と外部機器（図示省略）間で各種指示信号や位置情報などを入出力するためのインターフェイスであり、例えば、ＵＳＢ（Universal  Serial  Bus）ポートやＲＳ−２３２Ｃ端子をはじめとするシリアル入出力端子、パラレル入出力端子、ＳＣＳＩインターフェイス、ＩｒＤＡ（Infrared  Data  Association）規格に準じた赤外線通信装置などが備えられ、有線または無線通信手段により外部機器と接続することが可能である。
そして、記憶部４に記憶されている工事項目マスタＤＢ４１、住戸マスタＤＢ４２、工事予定情報マスタＤＢ４３の各データを、Ｉ／Ｆ９を介して、例えば、別の施工管理システムに記憶されているデータから取得するようにしてもよい。
【００４１】
次に、建物検査支援装置１による事務所作業処理について、図５を参照して詳細に説明する。なお、この事務所作業処理時には、工事項目に関する進捗情報は入力されていないものとする。
【００４２】
図５に示すように、まず、表示部７に表示された処理選択表示画面（図示省略）にて「事務所作業」がタッチペン５ｂにより入力される（ステップＳ１０１）と、ＣＰＵ２は、表示部７に、例えば、図６に示すように、住戸表／進捗情報一覧表選択画面Ｇ１００を表示させる（ステップＳ１０２）。
ここで、ＣＰＵ２は、ユーザが住戸表欄１１０の押下による押下信号を入力したと判断した場合（ステップＳ１０３；Ｙｅｓ）には、工事項目マスタＤＢ４１から全工事項目を抽出して、図６に示す工事項目選択欄１２０を表示させる（ステップＳ１０４）。
【００４３】
次いで、工事項目選択欄１２０から、ユーザがタッチペン５ｂで工事項目を選択することにより工事項目選択指示がＣＰＵ２に入力され、選択された工事項目を選択工事項目表示欄１３０に表示するとともに、ＣＰＵ２は、選択された工事項目をＲＡＭ３に一時的に記憶する（ステップＳ１０５）。具体的には、例えば、図６の工事項目選択欄１２０に示す３４項目の工事項目の中から、サッシ、ウレタン吹付、木工事、置床、天井ボード、クロス張り、フローリング、巾木、木製建具、壁タイル、カーテンレール、照明器具の１２項目を選択するものとする。
【００４４】
ここで、ユーザにより工事項目が選択されると、ＣＰＵ２は、選択された工事項目に順次項目番号を付し、選択工事項目及びその項目番号をＲＡＭ３に一時的に記憶する。具体的には、例えば、上記した１２項目が選択された場合、１−サッシ、２−ウレタン吹付、・・・１２−照明器具のように、それぞれの工事項目に順次項目番号が付される。
なお、選択可能な項目数は１２項目に限定されるものではなく、例えば、検査対象のマンションごとに設定変更可能に構成されている。
【００４５】
次いで、ＣＰＵ２は、データ保存のメッセージを表示部７に表示し、データ保存信号の入力があったと判断した場合（ステップＳ１０６；Ｙｅｓ）には、ＲＡＭ３に一時的に記憶された選択工事項目とその項目番号などを入力データとして、記憶部４の結果データ格納領域４５に格納する（ステップＳ１０７）。具体的には、例えば、図７に示すように、選択工事項目とその項目番号とを対応付けた選択工事項目テーブル４５２として、結果データ格納領域４５に格納する。
【００４６】
次いで、ＣＰＵ２は、進捗表示画面Ｇ２００を表示部７に表示させる（ステップＳ１０８）。例えば、図８に示すように、住戸マスタＤＢ４２に記憶されている居住部数情報を住戸表２１０として、進捗表示画面Ｇ２００上に表示する。なお、図９は、図８に示す住戸表２１０を構成する一居住部の拡大図である。
【００４７】
この住戸表２１０は、検査対象のマンションの全居住部を区画して二次元に配列させた表であり、各居住部２１１には、工事項目に関する進捗情報が表示されるマス目２１１ａが設けられている。そして、進捗情報が記憶された進捗情報テーブル４５１から抽出された工事項目及びその進捗情報を居住部２１１全てについて一覧できるようになっている。具体的には、例えば、図９に示すように、各居住部２１１には、部屋番号（例えば、「４０１」）と、その居住部における１２の工事項目に関する進捗情報が表示されるように１２個のマス目２１１ａが設けられる。
【００４８】
各居住部２１１のマス目２１１ａには、図７に示す選択工事項目テーブル４５２に記憶されている項目番号が付されている。具体的には、例えば、住戸表２１０の各居住部２１１のマス目「６」２１１６には、項目番号６「クロス張り」に関する進捗情報が表示されるようになっている。
そして、各居住部２１１における各工事項目の進捗情報は、各マス目２１１ａが着色されることにより表示される。例えば、そのマス目２１１ａの工事項目の工事が着手中であれば、マス目２１１ａ全体が黄色に着色され、工事が完了済であれば、マス目２１１ａ全体が青色に着色される。
【００４９】
なお、事務所作業処理時には進捗情報が入力されていないため、図８に示す進捗表示画面Ｇ２００上の住戸表２１０の各居住部２１１のマス目２１１ａは全て空欄の状態で表示される。
【００５０】
次に、建物検査支援装置１による現場作業処理について、図面を参照にして詳細に説明する。
なお、建物はマンションであり、各部屋番号（居住部）ごとの検査を行うものとする。
まず、工事項目の工事開始日に関する開始情報入力処理について、図１０を用いて説明する。
【００５１】
図１０に示すように、表示部７に表示された処理選択表示画面（図示省略）にて「現場作業」がタッチペン５ｂにより入力される（ステップＳ２０１）と、ＣＰＵ２は、表示部７に、例えば、図１２に示す進捗情報入力画面Ｇ３００を表示させ、画面上に部屋番号選択欄３１０を表示させる（ステップＳ２０２）。そして、部屋番号選択欄３１０に表示された部屋番号一覧から、ユーザがタッチペン５ｂで選択することにより部屋番号選択指示がＣＰＵ２に入力され、ＣＰＵ２は、選択された部屋番号データをＲＡＭ３に一時的に記憶する（ステップＳ２０３）。具体的には、例えば、「４０１」を選択するものとする。
【００５２】
次いで、ＣＰＵ２は、入力された部屋番号選択指示に基づいて、例えば、図１２に示す「４０１」の進捗情報入力欄３２０を表示させる（ステップＳ２０４）。
次いで、ＣＰＵ２は、ユーザによる工事項目の工事開始チェック欄３２１の押下による押下信号の入力があったか否かを判断し（ステップＳ２０５）、押下信号が入力されたと判断した場合（ステップＳ２０５；Ｙｅｓ）には、工事開始日欄３２３に先ずその検査日当日の日付及び日付選択欄表示ボタンａを表示させ、ユーザによる日付選択欄表示ボタンａの押下信号の入力があったと判断した場合には、日付選択欄３２２を表示させる（ステップＳ２０６）。この日付選択欄３２２は、最初に表示された日付を変更できるようにするための選択欄である。
そして、ユーザによる日付選択指示がＣＰＵ２に入力され、ＣＰＵ２は、工事開始日欄３２３に表示されている検査日当日の日付を選択された日付に変更して表示させるとともに、入力された日付選択指示をＲＡＭ３に一時的に記憶する（ステップＳ２０７）。具体的には、例えば、第２０工程「クロス張り」の工事開始日が「２００４年２月１３日」と入力され、工事開始日欄３２３に表示される。
【００５３】
次いで、ＣＰＵ２は、工事予定情報マスタＤＢ４３に記憶されている工事予定情報と、入力された工事開始情報とに基づいて、その工事項目の工事完了予定日を算出し、算出した工事完了予定日を現場完了予定日欄３２４に表示するとともに、ＲＡＭ３に一時的に記憶する（ステップＳ２０８）。具体的には、例えば、図４に示す工事予定情報マスタＤＢ４３に記憶されている「クロス張り」の予定工事開始日「２００４年２月１１日」及び予定工事終了日「２００４年２月１２日」から工事日数（この場合、一日）が算出され、次いで、工事開始日「２００４年２月１３日」にその工事日数が加算され、工事完了予定日が、「２００４年２月１４日」と算出され、現場完了予定日欄３２４に表示される。
このように、工事完了予定日を表示する予定表示画面は、進捗情報入力画面Ｇ３００に含まれている。
【００５４】
次いで、ＣＰＵ２は、入力された工事開始情報を、図１３に示す進捗情報テーブル４５１に記憶する。この進捗情報テーブル４５１は、マンションの居住部ごとに、工事項目及びその進捗情報を対応付けて記憶するテーブルである。具体的には、例えば、「４０１」の「クロス張り」の進捗情報記憶欄４５１ａに、工事開始情報（例えば、「１」）が記憶される。また、進捗情報が記憶された進捗情報テーブル４５１の内容は、後述する進捗状況一覧表５１０として、表示部７に表示されるようになっている。
【００５５】
次いで、ＣＰＵ２は、データ保存のメッセージを表示部７に表示し、ユーザによるデータ保存信号の入力があったか否かを判断し（ステップＳ２０９）、データ保存信号の入力があったと判断した場合（ステップＳ２０９；Ｙｅｓ）には、ＣＰＵ２は、ＲＡＭ３に一時的に記憶された工事開始日データ、工事完了予定日データ、工事開始情報が記憶された進捗情報テーブル４５１などを入力データとして記憶部４の結果データ格納領域４５に記憶する（ステップＳ２１０）。
【００５６】
次いで、ＣＰＵ２は、処理選択表示画面（図示省略）にて「事務所作業」が入力されると、図６の住戸表／進捗情報一覧表選択画面Ｇ１００を表示させ、ユーザが住戸表欄１１０の押下による押下信号を入力したと判断した場合には、図１４に示すように、進捗表示画面Ｇ４００を表示させる（ステップＳ２１１）。具体的には、図１３に示す進捗情報テーブル４５１から選択工事項目及びその工事開始情報を抽出して、図１４に示すように、住戸表２１０の各居住部２１１のマス目２１１ａに表示する（ステップＳ２１１）。具体的には、例えば、図１３に示す進捗情報テーブル４５１の「４０１」の「クロス張り」欄の工事開始情報が抽出され、図１５に示すように、住戸表２１０の「４０１」に相当する居住部２１１のマス目「６」２１１６全体が黄色に着色され表示されることにより、「クロス張り」が開始されていることが示される。
また、着色されたマス目「６」２１１６には、工事開始日も表示され、例えば、「２／１３」（２月１３日を示す）のように表示される。
なお、進捗表示画面Ｇ４００の右上には、選択工事項目及び項目番号が凡例４１０として表示される。
【００５７】
次に、工事項目の工事完了日に関する完了情報の入力処理について図１１を参照して詳細に説明する。なお、図１１において、ステップＳ３０１〜ステップＳ３０４までの処理は、図１０に示す工事項目の工事開始情報の入力処理（ステップＳ２０１〜ステップＳ２０４）と同様であるので、詳細な説明を省略する。
【００５８】
ＣＰＵ２は、図１２に示す進捗情報入力画面Ｇ３００を表示した後に、ユーザが工事項目の工事完了日チェック欄３２５の押下による押下信号があったか否かを判断し（ステップＳ３０５）、押下信号が入力されたと判断した場合（ステップＳ３０５；Ｙｅｓ）には、工事完了日欄３２６にその検査日当日の日付及び日付選択欄表示ボタンａを表示させ、ユーザによる日付選択欄表示ボタンａの押下信号の入力があったと判断した場合には、日付選択欄３２２を表示させる（ステップＳ３０６）。そして、ユーザによる日付選択指示がＣＰＵ２に入力され、ＣＰＵ２は、工事完了日欄３２６に表示されている検査日当日の日付を選択された日付に変更して表示させるとともに、入力された日付選択指示をＲＡＭ３に一時的に記憶する（ステップＳ３０７）。具体的には、例えば、第１７工程「天井ボード」の工事完了日が、「２００４年２月１２日」と入力され、工事完了日欄３２６に表示される。
【００５９】
次いで、ＣＰＵ２は、工事完了日が入力された工事項目の前工程までの完了の可否のメッセージを表示部７に表示し、ユーザによって前工程までの完了指示入力があったと判断した場合（ステップＳ３０８；Ｙｅｓ）には、前工程までの作業を全て完了したとする工事完了情報を作成し、図１３に示す進捗情報テーブル４５１に記憶されている工事完了情報を書き換えるとともに、進捗情報入力画面上に作成された工事完成情報を表示するとともに、ＲＡＭ３に一時的に記憶する（ステップＳ３０９）。具体的には、例えば、第１７工程「天井ボード」の工事完了日が入力されると、その前工程である第１工程「サッシ」〜第１６工程「電機調整」までの工程を全て完了したとして、「４０１」の「サッシ」〜「電機調整」の各進捗情報記憶欄４５１ａに、工事完了情報（例えば、「２」）が記憶される。
また、図１２の進捗情報入力欄３２０に表示される第１工程「サッシ」〜第１６工程「電機調整」までの工程の各工事完了日チェック欄３２５が全てチェックされ表示される。
【００６０】
次いで、ＣＰＵ２は、データ保存のメッセージを表示部７に表示し、ユーザによるデータ保存信号の入力があったと判断した場合（ステップＳ３１０；Ｙｅｓ）には、ＣＰＵ２は、ＲＡＭ３に一時的に記憶された工事完了日データ、工事完了情報が記憶された進捗情報テーブル４５１などを入力データとして記憶部４の結果データ格納領域４５に記憶する（ステップＳ３１１）。
【００６１】
次いで、ＣＰＵ２は、処理選択表示画面（図示省略）にて「事務所作業」が入力されると、図６の住戸表／進捗情報一覧表選択画面Ｇ１００を表示させ、ユーザが住戸表欄１１０の押下による押下信号を入力したと判断した場合には、図１４に示すように、進捗表示画面Ｇ４００を表示させる（ステップＳ３１２）。
【００６２】
より具体的には、ＣＰＵ２は、進捗情報テーブル４５１から選択工事項目及びその工事完了情報を抽出して、住戸表２１０の各居住部２１１のマス目２１１ａに表示させる。具体的には、例えば、図１３に示す進捗情報テーブル４５１の「４０１」の「天井ボード」及びその工事完了情報が抽出され、図１５に示すように、住戸表２１０の「４０１」に相当する居住部２１１の天井ボード（項目番号５）の進捗情報を示すマス目「５」２１１５が青色に着色され表示されることにより、「天井ボード」の工事が完了したことが示される。
また、着色されたマス目「５」２１１５には、工事完了日も表示され、例えば、「２／１２」（２月１２日を示す）のように表示される。
同様に、工事が完了したとされた項目番号１−「サッシ」、２−「ウレタン吹付」、３−「木工事」、４−「置床」の進捗情報を示す居住部２１１のマス目「１」２１１１、マス目「２」２１１２、マス目「３」２１１３、マス目「４」２１１４も、青色に着色され表示される。
【００６３】
なお、工事項目の進捗情報が入力された後、図６に示す住戸表／進捗状況一覧表選択画面Ｇ１００が表示され、ユーザによる進捗状況一覧表欄１１１の押下信号の入力があったと判断した場合には、ＣＰＵ２は、図１６に示すように、進捗状況一覧表示画面Ｇ５００を表示させ、進捗状況一覧表５１０を表示させる。具体的には、例えば、結果データ格納領域４５に格納されている進捗情報テーブル４５１の工事開始情報「１」を「○」、工事完了情報「２」を「◎」として、画面上に表示させる。
【００６４】
以上説明した建物検査支援装置１によれば、検査者によって選択された工事項目及びその進捗情報が進捗情報テーブル４５１から抽出され、進捗表示画面Ｇ４００に表示される。従って、複数の所望の工事項目についての進捗情報が表示されるので、検査者のニーズを反映した情報を得ることができることとなり、各工事項目の進捗情報の管理をより効率的に行うことができる。
【００６５】
また、居住部２１１全てについての選択された工事項目及びその進捗情報を進捗表示画面Ｇ４００上で一覧できるので、検査対象の建物全体の進捗情報を視覚的に把握することができる。
また、工事項目の工事開始情報が入力された場合、当該工事項目の工事完了予定情報が算出され、算出された工事完了予定情報が表示される。従って、現場の進捗検査を行う時期の目安となる情報を得ることができることとなって、各工事項目の進捗情報の管理をより一層効率的に行うことができる。
【００６６】
また、工事項目の工事完了情報が入力された場合、当該工事項目の前工程までを全て完了したとする工事完了情報が作成され、作成された工事完了情報に基づいて、工事完了情報が書き換えられる。従って、記憶されている工事項目全てについて進捗情報を各々入力する必要がなくなることとなって、進捗情報の管理をより容易に行うことができる。
また、工事項目の工事開始情報及び工事完了情報が入力された場合、この工事開始情報及び工事完了情報とが異なる表示態様で進捗表示画面Ｇ４００上に表示されるので、工事開始情報と工事完了情報とを確実に区別することができる。
また、進捗情報入力画面Ｇ３００上のタッチペン５ｂの押下操作により、工事項目の工事開始情報或いは工事完了情報を入力でき、検査に高度な経験、知識が必要とされないので、進捗検査をより容易に行うことができる。
【００６７】
なお、本発明にかかる建物検査支援装置１を用いて行う進捗検査処理は、上記した実施形態に限定されるものではない。例えば、全ての工事項目に関する進捗情報が入力された後に、所望の工事項目を選択して住戸表２１０を作成し、選択した工事項目に関する進捗情報を表示する構成としてもよい。
また、住戸表２１０は検査者が検査対象や検査日ごとに作成可能な構成としてもよいし、各居住部２１１を三次元的に表示させるようにしてもよい。
また、住戸表２１０における各居住部２１１の進捗情報の表示態様は、マス目２１１ａを着色することに限定されるものではなく、例えば、斜線や模様などの表示態様でもよい。
【図面の簡単な説明】
【００６８】
【図１】本発明の実施の形態における建物検査支援装置の要部構成を示すブロック図である。
【図２】工事項目マスタＤＢのデータ内容の一例を示す図である。
【図３】住戸マスタＤＢのデータ内容の一例を示す図である。
【図４】工事予定情報マスタＤＢのデータ内容の一例を示す図である。
【図５】事務所作業処理の一例を説明するためのフローチャートである。
【図６】住戸表／進捗状況一覧表選択画面の一例を示す図である。
【図７】選択工事項目テーブルの一例を示す図である。
【図８】進捗表示画面の一例を示す図である。
【図９】図８の住戸表を構成する一居住部の拡大図である。
【図１０】現場作業処理の工事開始日入力処理を説明するためのフローチャートである。
【図１１】現場作業処理の工事完了日入力処理を説明するためのフローチャートである。
【図１２】進捗情報入力画面の一例を示す図である。
【図１３】進捗情報テーブルの一例を示す図である。
【図１４】進捗表示画面の一例を示す図である。
【図１５】図１３の住戸表を構成する一居住部の拡大図である。
【図１６】進捗状況一覧表示画面の一例を示す図である。
【符号の説明】
【００６９】
１  建物検査支援装置
２  ＣＰＵ（工事項目選択手段、抽出手段、工事完了予定情報算出手段、表示制御手段、第２の表示制御手段）
５  入力部（入力手段、工事項目選択手段）
７  表示部（表示手段）
４１工事項目マスタＤＢ（工事項目記憶手段、工程順記憶手段）
４３  工事予定情報マスタＤＢ（工事予定情報記憶手段）
４４１  選択プログラム（工事項目選択手段）
４４２  抽出プログラム（抽出手段）
４４３  第１の表示制御プログラム（表示制御手段）
４４４  工事完了予定情報算出プログラム（工事完了予定情報算出手段）
４４５  第２の表示制御プログラム（第２の表示制御手段）
４４６  工事完了情報作成プログラム（工事完了情報作成手段）
４４７  書換プログラム（書換手段）
４５１  進捗情報テーブル（進捗情報記憶手段）
【図１】
2005275881.tif 000003
【図２】
2005275881.tif 000004
【図３】
2005275881.tif 000005
【図４】
2005275881.tif 000006
【図５】
2005275881.tif 000007
【図７】
2005275881.tif 000008
【図８】
2005275881.tif 000009
【図９】
2005275881.tif 000010
【図１０】
2005275881.tif 000011
【図１１】
2005275881.tif 000012
【図１３】
2005275881.tif 000013
【図６】
2005275881.tif 000014
【図１２】
2005275881.tif 000015
【図１４】
2005275881.tif 000016
【図１５】
2005275881.tif 000017
【図１６】
2005275881.tif 000018